(57)【特許請求の範囲】
【請求項１】
ソース機器側ホットプラグライン、ソース機器側データ通信ライン及びソース機器側電源電圧ラインを有するソース機器に対して、ホットプラグ信号を出力するホットプラグ信号出力装置であって、
前記ソース機器側ホットプラグラインと接続可能なホットプラグラインと、
前記ソース機器側データ通信ラインと接続可能なデータ通信ラインと、
前記データ通信ラインと接続され、前記ホットプラグラインとスイッチ手段を介して接続されており、前記ソース機器側電源電圧ラインと接続可能な電源電圧ラインと、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ソース機器側電源電圧ラインから前記電源電圧ラインに電圧が供給されていないことを検知し、前記スイッチ手段を開放状態にすることにより、前記ソース機器側データ通信ラインから前記データ通信ラインに供給される電圧が、前記ホットプラグラインから前記ソース機器側ホットプラグラインに供給されることを阻止し、前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ソース機器側電源電圧ラインから前記電源電圧ラインに電圧が供給されていることを検知し、前記スイッチ手段を導通状態にすることにより、前記電源電圧ラインに供給された電圧がホットプラグ信号として、前記ホットプラグラインから前記ソース機器側ホットプラグラインに供給されることを許可する出力制御手段とを備える、ホットプラグ信号出力装置。
【請求項２】
前記電源電圧ラインが第１抵抗を介して前記データ通信ラインと接続され、
前記ソース機器側ホットプラグラインが第２抵抗を介して接地電位に接続され、
前記スイッチ手段がトランジスタを含み、
前記出力制御手段が、カソードが前記トランジスタの制御電極に接続され、アノードが接地電位に接続制御されるツェナーダイオードを含み、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ツェナーダイオードに電流が流れないことにより、前記トランジスタがオフ状態になり、
前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ツェナーダイオードに電流が流れることにより、前記トランジスタがオン状態になる、請求項１に記載のホットプラグ信号出力装置。
【請求項３】
前記ツェナーダイオードの導通開始電圧が、前記第１抵抗及び前記第２抵抗の抵抗値と、前記データ通信ラインに供給される電圧と、前記電源電圧ラインに供給される電圧とに基づいて決定されている、請求項２に記載のホットプラグ信号出力装置。
【請求項４】
請求項１〜３のいずれかに記載のホットプラグ信号出力装置を備える、コンテンツ受信装置。
【発明の詳細な説明】
【技術分野】
【０００１】
本発明は、ホットプラグ信号出力装置及びそれを備えるコンテンツ受信装置に関する。
【背景技術】
【０００２】
近年、映像データや音声データといったコンテンツデータを供給するソース機器と、コンテンツデータを受信するシンク機器やリピータ機器といったコンテンツ受信装置とで構成されるＡＶシステムが普及している。ソース機器は、例えば、ＤＶＤプレーヤ、ブルーレイディスクプレーヤ、ＨＤＤＶＤ（High Definition DVD）プレーヤ等である。また、シンク機器は、例えば、ＬＣＤ（Liquid Crystal Display）、ＰＤＰ（Plasma Display Panel）、プロジェクタ等である。リピータ機器は、例えば、ＡＶアンプや、ＡＶレシーバである。これらの機器は、ＨＤＭＩ規格に準拠しており、ＨＤＭＩケーブルを介して相互に接続される。
【０００３】
図１は、ＡＶアンプ１０の要部を説明する概略ブロック図である。ＡＶアンプ１０は、ＨＤＭＩ受信部１１と、ＨＤＭＩ送信部１２と、制御部１３と、コネクタ１４、１５とを備えている。コネクタ１４にはＨＤＭＩケーブルを介して、例えばＤＶＤプレーヤ２０が接続される。コネクタ１５にはＨＤＭＩケーブルを介して、例えばディスプレイ装置が接続される。
【０００４】
ＡＶアンプ１０は、ＨＤＭＩのラインとして、主に、ホットプラグライン１７、ＤＤＣライン１８、および５Ｖ電源ライン１９を含む。ホットプラグライン１７は、ＡＶアンプ１０がＤＶＤプレーヤ２０にＨＤＭＩケーブルを介して接続されていることを通知するためのホットプラグ信号を出力する。すなわち、ＤＶＤプレーヤ２０は、ＡＶアンプ１０から供給されるホットプラグ信号がローレベルであれば、ＡＶアンプ１０がアクティブ（ＨＤＭＩデータを受信して処理できる状態）でない、又は、ＡＶアンプ１０が接続されていないと判断し、ホットプラグ信号がハイレベルであれば、ＡＶアンプ１０が接続されていると判断する（例えば、下記特許文献１）。ＤＤＣライン１８は、ＡＶアンプに関する情報（ＥＤＩＤ、認証情報等）をＤＶＤプレーヤ２０が取得し、認証するためのラインである。５Ｖ電源ライン１９は、ホットプラグライン１７およびＤＤＣライン１８に接続されており、５Ｖ電源電圧を供給する。
【０００５】
図２は、ＤＶＤプレーヤ２０の要部を説明する概略ブロック図である。ＤＶＤプレーヤ２０は、ＨＤＭＩ送信部３１と、制御部３２と、再生部３３と、コネクタ３４とを有する。また、ＤＶＤプレーヤ２０は、ホットプラグライン３５、ＤＤＣライン３６及び５Ｖ電源ライン３７を有する。コネクタ３４にはＨＤＭＩケーブルを介して、例えばＡＶアンプ１０が接続される。
【０００６】
図５は、ＡＶアンプ１０のホットプラグ信号出力部６６を説明する回路図である。ホットプラグ信号出力部６６は、トランジスタＱ６１，Ｑ６２、抵抗Ｒ６２，Ｒ６３を含む。制御部１３からハイレベルの信号がトランジスタＱ６１のベースに供給されると、トランジスタＱ６１がオン状態になり、トランジスタＱ６２のベースが接地電位に接続される。この状態で、ＤＶＤプレーヤ２０がＨＤＭＩケーブルを介して接続されると、ＤＶＤプレーヤ２０の５Ｖ電源ライン３７からＡＶアンプ１０の５Ｖ電源ライン１９に電圧が供給され、トランジスタＱ６２のエミッタに供給される。その結果、トランジスタＱ６２がオン状態になり、電圧が抵抗Ｒ６２及びホットプラグライン１７を介して、ＤＶＤプレーヤ２０のホットプラグライン３５にハイレベルのホットプラグ信号として出力される。
【０００７】
しかし、ホットプラグ信号出力回路６６には以下の問題が存在する。ＨＤＭＩケーブルのコネクタの各端子の中で、５Ｖ電源ラインの端子が他の端子より短くなっているので、ＡＶアンプ２０のコネクタ１４にＨＤＭＩケーブルを介してＤＶＤプレーヤ２０のコネクタ３４が接続されるとき、ＨＤＭＩケーブルとコネクタ１４又は３４との接続が不十分である（もしくはユーザによって接続操作中である）とき、各ラインの中で５Ｖ電源ラインだけが導通（電気的に接続）していない状態が起こり得る。すなわち、ＡＶアンプ１０のホットプラグライン１７がＤＶＤプレーヤ２０のホットプラグライン３５と導通され、ＡＶアンプ１０のＤＤＣライン１８がＤＶＤプレーヤ２０のＤＤＣライン３６と導通され、ＡＶアンプ１０の５Ｖ電源ライン１９がＤＶＤプレーヤ２０の５Ｖ電源ライン３７と導通されていない状態が起こり得る。
【０００８】
この状態は、ＡＶアンプ１０とＤＶＤプレーヤ２０とが接続されていない状態であるので、ＡＶアンプ１０のホットプラグライン１７からＤＶＤプレーヤ２０のホットプラグライン３５にハイレベルのホットプラグ信号が出力されてはならない。しかし、ＤＶＤプレーヤ２０の５Ｖ電源ライン３７からＡＶアンプ１０の５Ｖ電源ライン１９には電圧が供給されないが、ＤＶＤプレーヤ２０の５Ｖ電源電圧が、抵抗Ｒ３１、ＤＤＣライン３６を介して、ＡＶアンプ１０のＤＤＣライン１８に供給される。ＡＶアンプ１０のＤＤＣライン１８に供給された電圧は、抵抗Ｒ６１を介してトランジスタＱ６２のエミッタに供給され、トランジスタＱ６２はオン状態になる。その結果、ＤＤＣライン１８に供給された電圧は、抵抗Ｒ６１、Ｒ６２、ホットプラグライン１７を介して、ＤＶＤプレーヤ２０のホットプラグライン３５に供給される。
【０００９】
ＤＶＤプレーヤ２０のホットプラグライン３４は抵抗Ｒ３２を介して接地電位に接続されているので、ＤＤＣライン１８に供給された５Ｖの電圧は、抵抗Ｒ３２、Ｒ６１、Ｒ６２によって分圧されて、ＤＶＤプレーヤ２０のホットプラグライン３５には約１〜２Ｖの電圧が供給される。その結果、ＤＶＤプレーヤ２０は、ＡＶアンプ１０のホットプラグ信号がハイレベルになっていないにも関わらず、ホットプラグライン３５に約１〜２Ｖの電圧が供給されることにより、その電圧が閾値電圧を越えた場合、ハイレベルのホットプラグ信号が供給されたと誤検出する可能性がある。
【００１０】
ハイレベルのホットプラグ信号を誤検出すると、ＤＶＤプレーヤ２０のＨＤＭＩ送信部３１は、ＡＶアンプ１０のＨＤＭＩ受信部１１から認証情報を読み出して認証しようとするが認証に失敗するなどの誤動作が生じる。さらに、その後に正常なハイレベルのホップラグ信号が、ＡＶアンプ１０からＤＶＤプレーヤ２０のホットプラグライン３５に供給されても、ＤＶＤプレーヤ２０はそれに対応した動作を実行できない。なぜなら、ホットプラグ信号のローレベルからハイレベルへの反転が検出された際に、ＤＶＤプレーヤが各処理を実行するのであるが、ＤＤＣライン１８からホットプラグライン３５に供給された電圧をハイレベルのホットプラグ信号と誤検出した場合に、その後、ホットプラグ信号がローレベルに反転することを検出できないからである。
【００１１】
または、ハイレベルのホットプラグ信号は５Ｖであるが、約１〜２Ｖの電圧がホットプラグライン３５に供給されると、ＤＶＤプレーヤ２０内部に設けられた電子部品が破損する可能性がある。
【００１２】
図６は、他の形態におけるホットプラグ信号出力部８６を示す概略図である。ホットプラグ信号出力部８６においても、ＡＶアンプ１０のホットプラグライン１７がＤＶＤプレーヤ２０のホットプラグライン３５と導通され、ＡＶアンプ１０のＤＤＣライン１８がＤＶＤプレーヤ２０のＤＤＣライン３６と導通され、ＡＶアンプ１０の５Ｖ電源ライン１９がＤＶＤプレーヤ２０の５Ｖ電源ライン３７と導通されていない場合、ＤＶＤプレーヤ２０の５Ｖ電源電圧が、抵抗Ｒ３１、ＤＤＣライン３６を介して、ＡＶアンプ１０のＤＤＣライン１８に供給される。ＡＶアンプ１０のＤＤＣライン１８に供給された電圧は、抵抗Ｒ８１、Ｒ８２、ホットプラグライン１７を介して、ＤＶＤプレーヤ２０のホットプラグライン３５に供給される。その結果、同様に、ＤＶＤプレーヤ２０がハイレベルのホットプラグ信号であると誤検出し、誤動作が生じる。
【００１３】
【特許文献１】特許第３９５２０７７号
【発明の開示】
【発明が解決しようとする課題】
【００１４】
本発明は上記従来の課題を解決するためになされたものであり、その目的は、ホットプラグラインがソース機器側ホットプラグラインと導通され、ＤＤＣラインがソース機器側ＤＤＣラインと導通され、５Ｖ電源ラインがソース機器側５Ｖ電源ラインと導通されていない場合に、ソース機器側ホットプラグラインに電圧が供給されることを防止するホットプラグ信号出力装置を提供することである。
【課題を解決するための手段】
【００１５】
本発明の好ましい実施形態によるホットプラグ信号出力装置は、ソース機器側ホットプラグライン、ソース機器側データ通信ライン及びソース機器側電源電圧ラインを有するソース機器に対して、ホットプラグ信号を出力するホットプラグ信号出力装置であって、前記ソース機器側ホットプラグラインと接続可能なホットプラグラインと、前記ソース機器側データ通信ラインと接続可能なデータ通信ラインと、前記データ通信ラインと接続され、前記ホットプラグラインとスイッチ手段を介して接続されており、前記ソース機器側電源電圧ラインと接続可能な電源電圧ラインと、出力制御手段とを備える。前記出力制御手段は、前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ソース機器側電源電圧ラインから前記電源電圧ラインに電圧が供給されておらず、前記ソース機器側データ通信ラインから前記データ通信ラインに電圧が供給されていることを検知し、前記スイッチ手段を開放状態にすることにより、前記ソース機器側データ通信ラインから前記データ通信ラインに供給される電圧が、前記ホットプラグラインから前記ソース機器側ホットプラグラインに供給されることを阻止する。前記出力制御手段は、前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ソース機器側電源電圧ラインから前記電源電圧ラインに電圧が供給されていることを検知し、前記スイッチ手段を導通状態にすることにより、前記電源電圧ラインに供給された電圧がホットプラグ信号として、前記ホットプラグラインから前記ソース機器側ホットプラグラインに供給されることを許可する。
【００１６】
従って、ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給される電圧がホットプラグラインからソース機器側ホットプラグラインに供給され、当該電圧をソース機器が誤ってホットプラグ信号であると判断することを防止できる。従って、ソース機器で誤動作が生じることを防止できる。
【００１７】
好ましい実施形態においては、前記電源電圧ラインが第１抵抗を介して前記データ通信ラインと接続され、前記ソース機器側ホットプラグラインが第２抵抗を介して接地電位に接続され、前記スイッチ手段がトランジスタを含み、前記出力制御手段が、カソードが前記トランジスタの制御電極に接続され、アノードが接地電位に接続制御されるツェナーダイオードを含む。前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されていない場合に、前記ツェナーダイオードに電流が流れないことにより、前記トランジスタがオフ状態になる。前記ホットプラグラインが前記ソース機器側ホットプラグラインと導通され、前記データ通信ラインが前記ソース機器側データ通信ラインと導通され、前記電源電圧ラインが前記ソース機器側電源電圧ラインと導通されている場合、前記ツェナーダイオードに電流が流れることにより、前記トランジスタがオン状態になる。
【００１８】
ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給された電圧は、第１抵抗と第２抵抗とによって分圧されるので、ツェナーダイオードのカソード−アノード間電圧がツェナーダイオードの導通開始電圧（ツェナー電圧）未満になる。従って、ツェナーダイオードに電流が流れないことにより、トランジスタの制御電極と他電極との間に電流が流れず、トランジスタがオフ状態になる。その結果、データ通信ラインからの電圧が、ソース機器側ホットプラグラインに供給されることが阻止される。一方、ホットプラグラインがソース機器側ホットプラグラインと導通され、データ通信ラインがソース機器側データ通信ラインと導通され、電源電圧ラインがソース機器側電源電圧ラインと導通されている場合に、電源電圧ラインからの電圧は、第１抵抗と第２抵抗とによって分圧されないので、ツェナーダイオードのカソード−アノード間電圧がツェナーダイオードの導通開始電圧以上になる。従って、ツェナーダイオードに電流が流れることにより、トランジスタの制御電極と他電極との間に電流が流れ、トランジスタがオン状態になる。その結果、電源電圧ラインからの電圧が、ソース機器側ホットプラグラインに供給されることが許可される。
【００１９】
好ましい実施形態においては、前記ツェナーダイオードの導通開始電圧が、前記第１抵抗及び前記第２抵抗の抵抗値と、前記データ通信ラインに供給される電圧と、前記電源電圧ラインに供給される電圧とに基づいて決定されている。
【発明の効果】
【００２０】
ホットプラグラインがソース機器側ホットプラグラインと導通され、データ通信ラインがソース機器側データ通信ラインと導通され、電源電圧ラインがソース機器側電源電圧ラインと導通されていない場合に、ソース機器側データ通信ラインからデータ通信ラインに供給される電圧がホットプラグラインからソース機器側ホットプラグラインに供給され、当該電圧をソース機器が誤ってホットプラグ信号であると判断することを防止できる。
【発明を実施するための最良の形態】
【００２１】
以下、本発明の好ましい実施形態によるホットプラグ信号出力装置を備えるコンテンツ受信装置について説明する。コンテンツ受信装置は、ＤＶＤプレーヤ、ブルーレイディスクプレーヤ等のソース機器からコンテンツデータ（映像データ及び／又は音声データ）を受信する機器であり、ＡＶアンプ、ＡＶレシーバ等のリピータ機器や、ディスプレイ装置、プロジェクタ等のシンク機器である。
【００２２】
［ＡＶアンプ１０の構成］
図１は、ＡＶアンプ１０の要部を説明する概略ブロック図である。ＡＶアンプ１０は、ＨＤＭＩ（High-Definition Multimedia Interface）規格に準拠した機器であり、リピータ機器と呼ばれている。ＡＶアンプ１０は、ＨＤＭＩ受信部１１と、ＨＤＭＩ送信部１２と、制御部１３と、コネクタ１４、１５と、ホットプラグ信号出力回路１６（図３参照）とを備えている。コネクタ１４にはＨＤＭＩケーブルを介して、例えば、ソース機器であるＤＶＤプレーヤ２０が接続される。コネクタ１５にはＨＤＭＩケーブルを介して、例えば、シンク機器であるディスプレイ装置（図示せず）が接続される。
【００２３】
ＡＶアンプ１０は、ＨＤＭＩのラインとして、ホットプラグライン１７、ＤＤＣライン（データ通信ライン）１８、ＴＭＤＳライン（図示せず）、及び、５Ｖ電源ライン（電源電圧ライン）１９を有する。ホットプラグライン１７は、ＨＤＭＩケーブルのホットプラグラインを介して、ＤＶＤプレーヤ２０のホットプラグライン３５に接続可能である。ＤＤＣライン１８は、ＨＤＭＩケーブルのＤＤＣラインを介して、ＤＶＤプレーヤ２０のＤＤＣライン３６に接続可能である。５Ｖ電源ライン１９は、ＨＤＭＩケーブルの５Ｖ電源ラインを介して、ＤＶＤプレーヤ２０の５Ｖ電源ライン３７に接続可能である。
【００２４】
ホットプラグライン１７は、ＡＶアンプ１０がＤＶＤプレーヤ２０に接続されていること、又は、ＡＶアンプ１０のセレクタ回路の切換等を、ＡＶアンプ１０からＤＶＤプレーヤ２０に通知するためのホットプラグ信号を出力するラインである。ＤＶＤプレーヤ２０は、ＡＶアンプ１０からのホットプラグ信号がローレベルであれば、ＡＶアンプ１０がアクティブ（ＨＤＭＩデータを受信して処理できる状態）でない、又は、ＡＶアンプ１０が自身に接続されていないと判断し、ホットプラグ信号がハイレベルであれば、ＡＶアンプ１０が自身に接続されていると判断する。
【００２５】
ＤＤＣ（Display Data
Channel）ライン１８は、ＡＶアンプ１０に関する情報（認証情報、ＥＤＩＤ（Extended Display Identification Data））をＤＶＤプレーヤ２０がＡＶアンプ１０から取得するためのラインである。
【００２６】
ＴＭＤＳ（Transition
Minimized Differential Signaling）ラインは、ＤＶＤプレーヤ２０からＡＶアンプ１０にＨＤＭＩ規格に準拠したコンテンツデータ（以下、ＨＤＭＩデータという。）を送信するためのラインである。
【００２７】
５Ｖ電源ライン１９は、ＡＶアンプ１０の図示しない電源回路から５Ｖ電源電圧が供給され、又は、ＤＶＤプレーヤ２０の５Ｖ電源ライン３７から５Ｖ電源電圧が供給される。５Ｖ電源ライン１９は、後述するスイッチ手段を介してホットプラグライン１７に接続され、後述する抵抗Ｒ１１を介してＤＤＣライン１８に接続されており、これらに５Ｖ電源電圧を供給する。
【００２８】
制御部１３は、ＡＶアンプ１０の各部を制御するものであり、マイコンやＣＰＵ等である。
【００２９】
ＨＤＭＩ受信部１１は、ＤＶＤプレーヤ２０から送信されたＨＤＭＩデータを受信する。また、ＨＤＭＩ受信部１１は、受信したＨＤＭＩデータから元の映像データ（ＨＤＭＩ変換前の映像データ）を生成して、ＨＤＭＩ送信部１２に供給する。また、ＨＤＭＩ受信部１１は、受信したＨＤＭＩデータから元の音声データを生成して、図示しない音声処理部に供給する。
【００３０】
ＨＤＭＩ送信部１２は、ＨＤＭＩ受信部１１から供給された映像データ、および、必要に応じて図示しない音声処理部から供給された音声データを、ＨＤＭＩデータに変換する。ＨＤＭＩ送信部１２は、コネクタ部１５を介して図示しないディスプレイ装置にＨＤＭＩデータを送信する。
【００３１】
［ＤＶＤプレーヤ２０の構成］
図２は、ＤＶＤプレーヤ２０の要部を説明する概略ブロック図である。ＤＶＤプレーヤ２０は、ＨＤＭＩ規格に準拠した機器であり、ソース機器と呼ばれている。ＤＶＤプレーヤ２０は、ＨＤＭＩ送信部３１と、制御部３２と、再生部３３と、コネクタ３４とを備えている。コネクタ３４にはＨＤＭＩケーブルを介して、例えば、ＡＶアンプ１０が接続される。
【００３２】
また、ＤＶＤプレーヤ２０は、ホットプラグライン（ソース機器側ホットプラグライン）３５と、ＤＤＣライン（ソース機器側データ通信ライン）３６と、５Ｖ電源ライン（ソース機器側電源電圧ライン）３７とを備えている。５Ｖ電源ライン３７は、抵抗Ｒ３１を介してＤＤＣライン３６に接続されており、ホットプラグライン３５は、抵抗Ｒ３２を介して接地電位に接続されている。５Ｖ電源ライン３７には図示しない電源回路から５Ｖ電源電圧が供給されており、５Ｖ電源電圧は抵抗Ｒ３１を介してＤＤＣライン３６に供給される。
【００３３】
再生部３３は、ＤＶＤディスク（以下、単にディスクという。）に記録されている映像データおよび音声データをディスクから読み出して、ＨＤＭＩ送信部３１に供給する。ＨＤＭＩ送信部３１は、再生部３３から供給された映像データ及び音声データを、ＨＤＭＩ規格のデータ（以下、ＨＤＭＩデータ）に変換し、コネクタ３４を介してＡＶアンプ１０に送信する。
【００３４】
［ホットプラグ信号出力回路１６の構成］
図３は、ＡＶアンプ１０のホットプラグ信号出力回路１６を示す回路図である。ホットプラグ信号出力回路１６は、トランジスタＱ１，トランジスタ（スイッチ手段）Ｑ２，抵抗Ｒ１２，Ｒ１３及びツェナーダイオードＤ１を含む。トランジスタＱ１は、ベースに制御部１３からハイレベル又はローレベルの制御信号が供給され、エミッタが接地電位に接続され、コレクタがツェナーダイオードＤ１のアノードに接続されている。すなわち、トランジスタＱ１がオン状態になることで、ツェナーダイオードＤ１のアノード電位が接地電位に接続制御される。
【００３５】
トランジスタＱ２は、ベースがツェナーダイオードＤ１のカソードに接続され、エミッタが５Ｖ電源ライン１９及び抵抗Ｒ１１の一端に接続され、コレクタが抵抗Ｒ１２，Ｒ１３の各一端に接続されている。抵抗Ｒ１２の他端はホットプラグライン１７に接続され、抵抗Ｒ１３の他端は接地電位に接続されている。なお、抵抗Ｒ１１はＤＤＣライン１８に５Ｖ電源ライン１９からの５Ｖ電源電圧を供給する抵抗であり、その他端がＤＤＣライン１８に接続されている。
【００３６】
ホットプラグ信号出力回路１６は、出力制御手段を備える。出力制御手段は、ＡＶアンプ１０のホットプラグライン１７がＤＶＤプレーヤ２０のホットプラグライン３５と導通（電気的に接続）し、ＡＶアンプ１０のＤＤＣライン１８がＤＶＤプレーヤ２０のＤＤＣライン３６と導通し、ＡＶアンプ１０の５Ｖ電源ライン１９がＤＶＤプレーヤ２０の５Ｖ電源ライン３７に導通していない状態において、ＤＶＤプレーヤ２０の５Ｖ電源ライン３７からＡＶアンプ１０の５Ｖ電源ライン１９に電圧が供給されておらず、ＤＶＤプレーヤ２０のＤＤＣライン３６からＡＶアンプ１０のＤＤＣライン１８に電圧が供給されていることを検出し、スイッチ手段を開放状態にすることにより、ＤＶＤプレーヤ２０のＤＤＣライン３６からＡＶアンプ１０のＤＤＣライン１８に供給される電圧が、ＡＶアンプ１０のホットプラグライン１７からＤＶＤプレーヤ２０のホットプラグライン３５に供給されることを阻止する。
【００３７】
また、出力制御手段は、ＡＶアンプ１０のホットプラグライン１７がＤＶＤプレーヤ２０のホットプラグライン３５と導通し、ＡＶアンプ１０のＤＤＣライン１８がＤＶＤプレーヤ２０のＤＤＣライン３６と導通し、ＡＶアンプ１０の５Ｖ電源ライン１９がＤＶＤプレーヤ２０の５Ｖ電源ライン３７に導通している状態において、ＤＶＤプレーヤ２０の５Ｖ電源ライン３７からＡＶアンプ１０の５Ｖ電源ライン１９に電圧が供給されていることを検出し、スイッチ手段を導通（閉成）状態にすることにより、ＡＶアンプ１０のホットプラグライン１７からＤＶＤプレーヤ２０のホットプラグライン３５にハイレベルのホットプラグ信号が供給されることを許可する。
【００３８】
出力制御手段は、トランジスタＱ２とツェナーダイオードＤ１とを含み、５Ｖ電源ライン１９から電圧が供給されず、ＤＤＣライン１８から電圧が供給された場合には、トランジスタＱ２がオフ状態になり、ＤＤＣライン１８からホットプラグライン１７への経路が断たれることで、ＤＤＣライン１８からの電圧がＤＶＤプレーヤ２０のホットプラグライン３５に出力されることが阻止される。一方、５Ｖ電源ライン１９から電圧が供給された場合には、トランジスタＱ２がオン状態になり、５Ｖ電源ライン１９からホットプラグライン１７への経路が形成されることにより、ホットプラグライン３５に５Ｖ電源ラインからの電圧がハイレベルのホットプラグ信号として出力される。
【００３９】
詳細には、ツェナーダイオードＤ１は、アノード電位（接地電位）を基準にしたカソード電位が導通開始電圧（ツェナー電圧、例えば３．６Ｖ）未満のとき、カソードからアノードに電流が流れず（すなわち、オン状態にならず）、トランジスタＱ２はエミッタからベースに電流が流れずにオフ状態になる。一方、アノード電位に対するカソード電位が導通開始電圧以上のとき、カソードからアノードに電流が流れ（すなわち、オン状態になり）、トランジスタＱ２はエミッタからベースに電流が流れ、オン状態になる。
【００４０】
従って、トランジスタＱ２をオン状態にするための条件は、トランジスタＱ２のエミッタ電位が、ツェナーダイオードＤ１の導通開始電圧（３．６Ｖ）にトランジスタＱ２の導通開始電圧（例えば０．６Ｖ）を加算した電圧（４．２Ｖ）以上となることである。
【００４１】
ここで、ＤＤＣライン１８からの電圧がホットプラグライン１７を介してホットプラグライン３５に供給されると仮定すると、ＤＤＣライン１８からの電圧は、抵抗Ｒ１１、Ｒ１２、Ｒ３２によって分圧されるので、ホットプラグライン３５には約１〜２Ｖの電圧が供給され、トランジスタＱ２のエミッタには約３〜４Ｖの電圧が供給される。従って、トランジスタＱ２のエミッタ電位が、トランジスタＱ２をオン状態にするため条件（４．２Ｖ以上）を満足しないので、トランジスタＱ２はオフ状態になる。その結果、ＤＤＣライン１８からの電圧が、ホットプラグライン３５に供給されることが阻止される。
【００４２】
また、５Ｖ電源ライン１９からの電圧が供給される場合は、トランジスタＱ２のエミッタ電位は約５Ｖであるので、トランジスタＱ２をオン状態にするため条件（４．２Ｖ以上）を満足し、トランジスタＱ２がオン状態になる。
【００４３】
すなわち、ツェナーダイオードＤ１の導通開始電圧（ツェナー電圧）は、抵抗Ｒ１１，Ｒ１２，Ｒ３２の抵抗値や、ＤＤＣライン１８、５Ｖ電源ライン１９に供給される５Ｖ電圧に基づいて、上記のような条件を満足するような値に設定されている。
【００４４】
［ホットプラグ信号出力装置の動作］
以上の構成を有するホットプラグ信号出力装置の動作を説明する。
まず、ＨＤＭＩケーブルをコネクタ１４又は３４に接続途中であり、あるいは、ＨＤＭＩケーブルのコネクタ１４又は３４への接続が不十分であるために、ＡＶアンプ１０のホットプラグライン１７はＤＶＤプレーヤ２０のホットプラグライン３５と導通し、ＡＶアンプ１０のＤＤＣライン１８はＤＶＤプレーヤ２０のＤＤＣライン３６と導通し、ＡＶアンプ１０の５Ｖ電源ライン１９はＤＶＤプレーヤ２０の５Ｖ電源ライン３７と導通していない場合を説明する。
【００４５】
ＡＶアンプ１０の５Ｖ電源ライン１９がＤＶＤプレーヤ２０の５Ｖ電源ライン３７と導通していないので、ＤＶＤプレーヤ２０の５Ｖ電源ライン３７からＡＶアンプ１０の５Ｖ電源ライン１９に５Ｖ電源電圧が供給されない。従って、５Ｖ電源ライン１９からの電圧によってトランジスタＱ２がオン状態になることはない。
【００４６】
一方、ＡＶアンプ１０のＤＤＣライン１８がＤＶＤプレーヤ２０のＤＤＣライン３６と導通しているので、ＤＶＤプレーヤ２０のＤＤＣライン３６からＡＶアンプ１０のＤＤＣライン１８に５Ｖ電源電圧が供給される。制御部１３は、トランジスタＱ１のベースにハイレベルの制御信号を供給する。トランジスタＱ１は、ベースにハイレベルの制御信号が供給されると、オン状態になるので、ツェナーダイオードＤ１のアノードは、接地電位に接続された状態になる。
【００４７】
ＤＤＣライン１８からの５Ｖ電源電圧がホットプラグライン１７を介して、ホットプラグライン３５に供給される場合、５Ｖ電源電圧は、上記の通り、抵抗Ｒ１１，Ｒ１２，Ｒ３２によって分圧される。
【００４８】
その結果、トランジスタＱ２のエミッタ電位は約３〜４Ｖになるので、ツェナーダイオードＤ１のカソード電位はトランジスタＱ２の導通開始電圧０．６Ｖを減算した約２．４〜３．４Ｖになり、ツェナーダイオードＤ１の導通開始電圧３．６Ｖ未満になるので、ツェナーダイオードＤ１はオフ状態になり、カソードからアノードに電流が流れない。従って、トランジスタＱ２は、エミッタからベースに電流が流れないことになり、オフ状態になる。その結果、トランジスタＱ２がオフ状態になってホットプラグライン１７への経路が断たれることにより、ＤＤＣライン１８からの電圧が、ＤＶＤプレーヤ２０のホットプラグライン３５に供給されることが阻止される。従って、ＤＶＤプレーヤ２０が、ホットプラグ信号がハイレベルになったことを誤検出することを防止できる。
【００４９】
次に、ＡＶアンプ１０のホットプラグライン１７はＤＶＤプレーヤ２０のホットプラグライン３５と導通し、ＡＶアンプ１０のＤＤＣライン１８はＤＶＤプレーヤ２０のＤＤＣライン３６と導通し、ＡＶアンプ１０の５Ｖ電源ライン１９はＤＶＤプレーヤ２０の５Ｖ電源ライン３７と導通している場合を説明する。
【００５０】
ＤＶＤプレーヤ２０の５Ｖ電源ライン３７とＡＶアンプ１０の５Ｖ電源ライン１９とが導通しているので、ＤＶＤプレーヤ２０の５Ｖ電源ライン３７からＡＶアンプ１０の５Ｖ電源ライン１９に５Ｖ電源電圧が供給される。その結果、トランジスタＱ２のエミッタ電位は約５Ｖになる。ツェナーダイオードＤ１のカソード電位は、トランジスタＱ２の導通開始間電圧０．６Ｖを減算した約４．４Ｖになり、ツェナーダイオードＤ１の導通開始電圧３．６Ｖ以上になるので、ツェナーダイオードＤ１がオン状態になり、カソードからアノードに電流が流れる。その結果、トランジスタＱ２のエミッタからベースに電流が流れることになり、トランジスタＱ２はオン状態になる。
【００５１】
従って、５Ｖ電源ライン１９からの５Ｖ電源電圧は、トランジスタＱ２，抵抗Ｒ１２、ホットプラグライン１７を介して、ＤＶＤプレーヤ２０のホットプラグライン３５に、ハイレベルのホットプラグ信号として供給される。ＤＶＤプレーヤ２０は、ホットプラグライン３５に供給された電圧に基づいて、ホットプラグ信号がハイレベルになったことを検出することができる。
【００５２】
［他の実施形態］
図４は、他の実施形態におけるホットプラグ信号出力回路２６を示す回路図である。ホットプラグ信号出力回路２６は、トランジスタＱ２１（スイッチ手段）と、抵抗Ｒ１２，Ｒ２１とを有する。トランジスタＱ２１は、５Ｖ電源ライン１９からの電圧がベースに供給されたときに、オン状態になることにより、ホットプラグライン１７を介して、ＤＶＤプレーヤ２０のホットプラグライン３５にホットプラグ信号が供給されることを許可する。一方、トランジスタＱ２１は、５Ｖ電源ライン１９からの電圧がベースに供給されないときに、オフ状態になることにより、ＤＤＣライン１８から供給された電圧がホットプラグライン１７を介してＤＶＤプレーヤ２０のホットプラグライン３５に供給されることを阻止する。トランジスタＱ２１のベースは、自身のコレクタと、５Ｖ電源ライン１９と、抵抗Ｒ１２の一端とに接続され、そのエミッタは、抵抗Ｒ２１を介して接地電位に接続され、抵抗Ｒ１１を介してＤＤＣライン１８に接続されている。
【００５３】
以下、ホットプラグ信号出力回路２６の動作を説明する。
まず、ＡＶアンプ１０のホットプラグライン１７とＤＶＤプレーヤ２０のホットプラグライン３５とが導通し、ＡＶアンプ１０のＤＤＣライン１８とＤＶＤプレーヤ２０のＤＤＣライン３６とが導通し、ＡＶアンプ１０の５Ｖ電源ライン１９とＤＶＤプレーヤ２０の５Ｖ電源ライン３７とが導通していない場合を説明する。
【００５４】
ＡＶアンプ１０の５Ｖ電源ライン１９とＤＶＤプレーヤ２０の５Ｖ電源ライン３７とが導通していないので、トランジスタＱ２１のベースには５Ｖ電源ライン１９から５Ｖ電源電圧が供給されず、トランジスタＱ２１はオフ状態になっている。ＡＶアンプ１０のＤＤＣライン１８とＤＶＤプレーヤ２０のＤＤＣライン３６とが導通しているので、ＤＤＣライン１８にはＤＤＣライン３６から５Ｖ電源電圧が供給される。しかし、ＤＤＣライン１８に供給された電圧は、トランジスタＱ２１がオフ状態になっていることにより遮断され、ホットプラグライン１７を介してＤＶＤプレーヤ２０のホットプラグライン３５に供給されない。従って、５Ｖ電源ラインが導通していない場合に、ホットプラグライン３５にＤＤＣライン１８からの電圧が供給され、ＤＶＤプレーヤ２０がハイレベルのホットプラグ信号が供給されたとことを誤検出することを防止できる。
【００５５】
次に、ＡＶアンプ１０のホットプラグライン１７とＤＶＤプレーヤ２０のホットプラグライン３５とが導通し、ＡＶアンプ１０のＤＤＣライン１８とＤＶＤプレーヤ２０のＤＤＣライン３６とが導通し、ＡＶアンプ１０の５Ｖ電源ライン１９とＤＶＤプレーヤ２０の５Ｖ電源ライン３７とが導通している場合を説明する。
【００５６】
ＡＶアンプ１０の５Ｖ電源ライン１９とＤＶＤプレーヤ２０の５Ｖ電源ライン３７とが導通しているので、ＡＶアンプ１０の５Ｖ電源ライン１９にＤＶＤプレーヤ２０の５Ｖ電源ラインからの５Ｖ電源電圧が供給される。従って、トランジスタＱ２１のベースには５Ｖ電源ライン１９から５Ｖ電源電圧が供給され、トランジスタＱ２１はオン状態になる。そして、５Ｖ電源ライン１９からの５Ｖ電源電圧が、抵抗Ｒ１２及びホットプラグライン１７を介して、ＤＶＤプレーヤ２０のホットプラグライン３５にハイレベルのホットプラグ信号として供給される。従って、ＤＶＤプレーヤ２０は、ハイレベルのホットプラグ信号を検出し、ＡＶアンプ１０が接続されたと認識することができる。
【００５７】
以上のように、本発明によると、ＡＶアンプ１０の５Ｖ電源ライン１９とＤＶＤプレーヤ２０の５Ｖ電源ライン３７とが導通していない場合に、ＤＤＣライン１８からの電圧がＤＶＤプレーヤ２０のホットプラグライン３５に供給されることが阻止されるので、ＡＶアンプ１０がＤＶＤプレーヤ２０に未接続の状態で、ＤＶＤプレーヤ２０がハイレベルのホットプラグ信号が供給されたと誤検出することを防止することができる。
【００５８】
以上、本発明の好ましい実施形態を説明したが、本発明はこれらの実施形態には限定されない。例えば、本発明のホットプラグ信号出力装置は、リピーター機器以外のシンク機器やパススルー機器に適用することもできる。パススルー機器は、ソース機器から受信したＨＤＭＩデータをシンク機器にそのまま転送する機器である。シンク機器の場合、ＨＤＭＩ送信部１２を備えておらず、ＨＤＭＩ受信部１１のみを備えており、パススルー機器の場合、ＨＤＭＩ受信部１１及びＨＤＭＩ送信部１２の代わりに、セレクタ回路（スイッチャ）を備えている。セレクタ回路は、コネクタ１４が複数設けられており複数のＤＶＤプレーヤがＡＶアンプに接続される場合に、１つのＤＶＤプレーヤから送信されるＨＤＭＩデータを選択してシンク機器に出力するものである。また、図３の回路において、抵抗Ｒ１２が設けられない場合には、ＤＤＣライン１８からの電圧が抵抗Ｒ１１とＲ３２とによって分圧されるので、これらの抵抗値を元にツェナーダイオードの導通開始電圧が設定されるとよい。また、ＨＤＭＩ規格の機器に限定されず、ＨＤＭＩ規格と互換性のあるＤＶＩ規格等の任意の機器に適用できる。
【産業上の利用可能性】
【００５９】
本発明は、例えば、ＨＤＭＩ規格に準拠した、ＡＶアンプ等のリピータ機器、又は、ＬＣＤやＰＤＰ等のシンク機器に好適に採用され得る。
【図面の簡単な説明】
【００６０】
【図１】ＡＶアンプ１０を示すブロック図である。
【図２】ＤＶＤプレーヤ２０を示すブロック図である。
【図３】本発明の好ましい実施形態によるホットプラグ信号出力回路１６を示す回路図である。
【図４】他の実施形態によるホットプラグ信号出力回路２６を示す回路図である。
【図５】従来のホットプラグ信号出力回路６６を示す回路図である。
【図６】従来のホットプラグ信号出力回路８６を示す回路図である。
【符号の説明】
【００６１】
１０            ＡＶアンプ
１６            ホットプラグ信号出力部
１７            ホットプラグライン
１８            ＤＤＣライン
１９            ５Ｖ電源ライン
Ｄ１            ツェナーダイオード
Ｑ２            トランジスタ
Ｑ２１          トランジスタ
２０            ＤＶＤプレーヤ
３５            ホットプラグライン
３６            ＤＤＣライン
３７            ５Ｖ電源ライン
【要約】
【課題】  ホットプラグラインがソース機器側ホットプラグラインと導通され、ＤＤＣラインがソース機器側ＤＤＣラインと導通され、５Ｖ電源ラインがソース機器側５Ｖ電源ラインと導通されていない場合に、ソース機器側ホットプラグラインに電圧が供給されることを防止する。
【解決手段】  ５Ｖ電源ライン１９から電圧が供給されておらず、ＤＤＣライン１８から電圧が供給されると、ＤＤＣライン１８からの電圧が抵抗Ｒ１１と抵抗Ｒ３２とで分圧される結果、ツェナーダイオードＤ１のカソード電位が導通開始電圧未満になり、ツェナーダイオードＤ１に電流が流れないので、トランジスタＱ２はオフ状態になる。従って、ＤＤＣライン１８からホットプラグライン１７への経路が断たれるので、ＤＶＤプレーヤのＤＤＣライン３６からＤＤＣライン１８に供給される電圧が、ホットプラグライン１７からＤＶＤプレーヤのホットプラグライン３５に供給されることが阻止される。
【選択図】図３【図１】
0004254895.tif 000002
【図２】
0004254895.tif 000003
【図３】
0004254895.tif 000004
【図４】
0004254895.tif 000005
【図５】
0004254895.tif 000006
【図６】
0004254895.tif 000007